(57)【特許請求の範囲】
【請求項１】
電動工具の先端に着脱自在に装着される穴開け工具を覆い、該穴開け工具使用時に生じる切粉を捕集する簡易防塵カバーであって、透明な合成樹脂材にて穴開け工具の周囲を覆う有底筒状のカバー本体を構成し、該カバー本体の底部に穴開け工具のシャンク部を挿通せしめる連結孔を開穿し、該連結孔を介して穴開け工具と電動工具との間にカバー本体を着脱自在に装着する簡易防塵カバーにおいて、前記カバー本体は、透明な１枚の合成樹脂製のシート材を組み立てて形成されると共に、前記底部は、折り畳まれた複数枚の前記シート材が重合するように構成され、前記連結孔は、該底部の重合した複数枚のシート材を貫通するように設けられたことを特徴とする簡易防塵カバー。
【請求項２】
前記カバー本体の前記底部は、周囲に沿って帯状の重合片が形成され、前記カバー本体が形成されたときに、該重合片が前記カバー本体の側部内側に重合するように構成された請求項１記載の簡易防塵カバー。
【発明の詳細な説明】
【技術分野】
【０００１】
本発明は、ドリル等の電動工具の先端に着脱自在に装着されたホルソー等の穴開け工具により、天井面等に孔を穿設する際に生じる切粉を飛散させないように捕集する簡易防塵カバーに関するものである。
【背景技術】
【０００２】
建設現場でシーリングやダウンライト、感知器等の各種器具を取り付ける場合や、エアコンの冷媒管を通す場合には、天井面や壁面を構成する石膏ボード等に孔を開ける作業が必要になる。この場合、孔開け作業時に生じる切粉などの飛散を防止するため、作業場の周囲を養生し、清掃作業の簡略化を図っている。ところが、孔開け箇所全てに養生を行う必要があるので、養生作業に多くの時間を要する不都合がある。
【０００３】
そこで、このような養生作業に替えて、穴開け工具に装着する防塵カバーを使用する工事が増えている。例えば、特許文献１に記載のように、穴開け工具と一体に設けられた防塵カバーがある。この防塵カバーは、ドリルや切刃等を装着した穴開け工具の外周を囲む透明のボウル状を成し、穴開け工具に、直接、ねじ止め固定したものである。
【０００４】
一方、特許文献２に記載された防塵カバーでは、ドリル等の電動工具に装着するカバーが示されている。このカバーは、穴開け工具に装着するものではなく、ドリル等の電動工具に装着した中継アダプタに装着する構成を成している。特に、特許文献２に記載の防塵カバーは、軸方向に伸縮可能な蛇腹筒状に設けられているので、従来のボウル状の防塵カバーに比べて軽量で、取扱いが容易であるというものである。
【０００５】
更に、特許文献３に特殊な防塵カバーが記載されている。この防塵カバーは、特許文献１や特許文献２のように、ホルソー等の穴開け工具がある面に飛散する切粉を回収するのではなく、穴開け工具が貫通した被切削物の裏側に落ちる切粉を回収できるように構成したものである。すなわち、特許文献３の防塵カバーは、被切削物の裏面に接着させる必要があるので、粘着剤、磁石、マイクロ吸引穴等の接着手段を備えた防塵カバーである。特に、この切粉飛散防止具では、フッソゴム、シリコンゴム、ガラス繊維等の耐熱性を有する容器状のカバーが用いられている。
【先行技術文献】
【特許文献】
【０００６】
【特許文献１】実開平５−８８９０８号公報
【特許文献２】特許第４３６９５５６号公報
【特許文献３】特開２００８‐１５５３３６号公報
【発明の概要】
【発明が解決しようとする課題】
【０００７】
従来の防塵カバーは、いずれも防塵カバーの装着手段に課題があった。すなわち、特許文献１のカバーは、穴開け工具と一体化したものなので、穴開け工具自体が嵩張るものになり、工具収納時や運搬時等の取り扱いが困難になっていた。
【０００８】
一方、特許文献２のように、ドリル等の電動工具に装着する防塵カバーでは、穴開け工具と防塵カバーとを別にして収納や運搬ができるので、特許文献１の防塵カバーよりも取り扱いが容易になっている。ところが、この防塵カバーは、ドリル等の電動工具に取り付けた中継アダプタに装着するので、電動工具が、例えば電動ドリルから電動ドライバーに変わった場合や、同じ電動ドリルでもメーカーの違いで細部の形状が変わった場合などには、中継アダプタの取り付けができなくなることがある。そのため、特許文献２の防塵カバーを装着できる電動工具は、中継アダプタが装着できるものに限定され、他の電動工具に装着することができないといった不都合があった。
【０００９】
しかも、特許文献２の防塵カバーは、伸縮可能な蛇腹筒状を成しているので、捕集した切粉が蛇腹筒状の内部に付着し易い構造になっている。そのため、このカバーの材質を透明な材質で形成していても、内部に付着する切粉によってカバーの透明性が保ち難くなり、穴開け工具での回転切削作業に支障を来す虞があった。また、蛇腹筒状のカバー内部に捕集された切粉を除去する作業にも多くの手間を要するものであった。
【００１０】
また、特許文献３のように、被切削物の裏側に落ちる切粉を回収できるように構成した特殊な防塵カバーでは、特に、被切削物の裏側に防塵カバーを接着するものであるから、そもそも、天井面に孔を穿設する際に生じる切粉を、天井の下面で捕集することはできない。したがって、天井にシーリングやダウンライト、感知器等の器具を取り付けるための工事に適さないものである。
【００１１】
しかも、特許文献３に記載の防塵カバーには、折畳み機能も備えているが、この防塵カバーは、フッソゴム、シリコンゴム、ガラス繊維、不燃又は難燃不織布等の耐熱性を有する材質を採用し、更に、粘着剤、磁石、マイクロ吸引穴等の接着手段を備えた構成になっている。この結果、折畳み機能を備えていても、これらの材質や被着手段が防塵カバーをコンパクトに折りたたむ際の妨げになる虞があった。
【００１２】
そこで本発明は、上述の課題を解消すべく創出されたもので、穴開け工具と別体に構成された防塵カバーを、電動工具の種類やメーカーが異なっても簡単に装着することができ、軽量で操作性がよく、しかも穴開け工具使用時の透明性を保つことが可能で、捕集した切粉の除去も容易に行えると共に、極めてコンパクトに折りたたむことができる簡易防塵カバーの提供を目的とするものである。
【課題を解決するための手段】
【００１３】
上述の目的を達成すべく本発明における第１の手段は、電動工具Ｐの先端に着脱自在に装着される穴開け工具Ｑを覆い、該穴開け工具Ｑ使用時に生じる切粉を捕集する簡易防塵カバーであって、透明な合成樹脂材にて穴開け工具の周囲を覆う有底筒状のカバー本体１０を構成し、該カバー本体１０の底部１１に穴開け工具Ｑのシャンク部Ｑ１を挿通せしめる連結孔１２を開穿し、該連結孔１２を介して穴開け工具Ｑと電動工具Ｐとの間にカバー本体１０を着脱自在に装着する簡易防塵カバーにおいて、前記カバー本体１０は、透明な１枚の合成樹脂製のシート材１を組み立てて形成されると共に、前記底部１１は、折り畳まれた複数枚の前記シート材１が重合するように構成され、前記連結孔１２は、該底部１１の重合した複数枚のシート材１を貫通するように設けられたものである。
【００１５】
第２の手段において、前記カバー本体１０の前記底部１１は、周囲に沿って帯状の重合片１５が形成され、前記カバー本体１０が形成されたときに、該重合片１５が前記カバー本体１０の側部１４内側に重合するように構成されている。
【発明の効果】
【００１８】
本発明の請求項１のごとく、透明な合成樹脂材にて穴開け工具の周囲を覆う有底筒状のカバー本体１０を構成し、該カバー本体１０の底部１１に穴開け工具Ｑのシャンク部Ｑ１を挿通せしめる連結孔１２を開穿し、該連結孔１２を介して穴開け工具Ｑと電動工具Ｐとの間にカバー本体１０を着脱自在に装着することにより、従来のように、電動工具に取り付ける中継アダプタ等は必要なくなり、電動工具の種類やメーカーが異なっても簡単に装着することができる。しかも、カバー本体１０は、合成樹脂材にて有底筒状に形成されているので、カバー本体１０全体がたわみ易い性質を有するものであるから、穴開け工具の高さが異なっている場合でも、柔軟に対応して使用することができる。更に、有底筒状のカバー本体１０は、蛇腹形状のように切粉が内部に溜まることがないので、透明性を長時間保つことが可能である。
【００１９】
また、表示部１０は、透明な１枚の合成樹脂製のシート材１を組み立てて形成されると共に、前記底部１１は、折り畳まれた複数枚の前記シート材１が重合するように構成され、前記連結孔１２は、該底部１１の重合した複数枚のシート材１を貫通するように設けたことにより、薄いシート材１でも連結孔１２の強度を高めることができる。この結果、軽量なシート材１を組み立ててカバー本体１０を形成していても、電動工具Ｐと穴開け工具Ｑとの間に装着する連結孔１２は、極めて高い強度や優れた耐久性を有する構成になっている。しかも、組み立てたカバー本体１０を元のシート材１に戻すことができるので、捕集した切粉を容易に除去することができ、更に、極めてコンパクトに折りたたむことも可能である。
【００２０】
請求項２のように、カバー本体１０の底部１１は、周囲に沿って帯状の重合片１５が形成されており、カバー本体１０が形成されたときに、該重合片１５がカバー本体１０の側部１４内側に重合するように構成されているので、この重合片１５を介して底部１１と側部１４とが密接状態になる。この結果、底部１１に溜まった切粉の漏れを防止することができる。
【図面の簡単な説明】
【００２３】
【図１】本発明の装着状態を示す分解斜視図である。
【図２】本発明シート材の一実施例を示す平面図である。
【図３】本発明カバー本体の一実施例を示す斜視図である。
【図４】本発明カバー本体の一実施例を示す平面図である。
【図５】本発明の使用状態を示す斜視図である。
【図６】他の参考例を示し、サイズを調整する状態を示す斜視図である。
【図７】本発明の他の実施例を示し、（イ）は展開図（ロ）は斜視図である。
【図８】本発明カバー本体の他の実施例を示す斜視図である。
【発明を実施するための形態】
【００２４】
本発明によると、電動工具の種類やメーカーが異なっても簡単に装着することができ、軽量で操作性がよく、しかも穴開け工具使用時の透明性を保つことが可能で、捕集した切粉の除去も容易に行えると共に、極めてコンパクトに折りたたむことができるなどといった当初の目的を達成した。
【実施例】
【００２５】
以下、本発明の実施例を説明する。本発明防塵カバーは、穴開け工具Ｑを使用する際に生じる切粉を捕集する簡易防塵カバーである（図５参照）。この穴開け工具Ｑは、例えば、ホルソー、自在錐、コアドリル等が選択されて電動工具Ｐの先端に着脱自在に装着される工具である（図１参照）。一方、電動工具Ｐは電気ドリルや電動ドライバー等が使用される。
【００２６】
本発明防塵カバーは、透明な合成樹脂材にて穴開け工具の周囲を覆う有底筒状のカバー本体１０を構成したものである（図１参照）。そして、カバー本体１０の底部１１に穴開け工具Ｑのシャンク部Ｑ１を挿通せしめる連結孔１２を開穿している。
【００２７】
図示例のカバー本体１０は、透明な合成樹脂製のシート材１を折畳み、組み立てることで形成されるもので（図２参照）、穴開け工具Ｑの周囲を覆う有底角筒状に形成されている（図１参照）。この固定基体１０の底部１１は、折り畳まれた複数枚のシート材１が重合した状態になっている（図２参照）。そして、この底部１１の重合した複数枚のシート材１を貫通する連結孔１２を設け、この連結孔１２に、穴開け工具Ｑのシャンク部Ｑ１を挿通させて穴開け工具Ｑと電動工具Ｐとの間にカバー本体１０を着脱自在に装着するものである。このとき、各シート材１に開穿する連結孔１２の位置を少しずつずらして形成すると、シャンク部Ｑ１の径が異なった場合でも、各連結孔１２が相互にずれることで、シャンク部Ｑ１の径に合わせることが可能になる。
【００２８】
また、カバー本体１０は、図示例のほか、合成樹脂材にて一体成型された有底筒状のカバー本体１０を使用することも可能である（図示せず）。この場合、底部１１の厚みを他の厚みよりも厚く形成したり、あるいは底部１１に開穿する連結孔１２を補強する部材を連結孔１２に設けたりすることも可能である。
【００２９】
図示のカバー本体１０を構成するシート材１には、カバー本体１０を形成する折り目２と、シート材１の端部を止着する止着部３とを設けている（図２参照）。そして、この折り目２に沿ってシート材１を折り畳むとカバー本体１０が構成されるものである（図３、図４参照）。また、止着部３は、シート材１に形成された切込み部５に差込んで係止する。このとき、切込み部５の長さを長めに形成し、止着部３の差込位置を切込み部５の長さに沿って調整できるようにすることも可能である（図４参照）。
【００３０】
更に、カバー本体１０の底部１１に位置する部分には、複数の底部材６が形成され、各底部材６に連結孔１２を開穿したものである（図２参照）このカバー本体１０の底部１１に、周囲に沿って帯状の重合片１５が形成されている。この重合片１５は、カバー本体１０が形成されたときに、該重合片１５がカバー本体１０の側部１４内側に重合するように構成されたものである（図１参照）。図示例では、重合する複数の底部材６の中でも、特に最上面に位置する底部材６の周囲に重合片１５を形成している（図３参照）。
【００３１】
また、カバー本体１０の開口上部に被穴開け面に当接せしめる当接片１６を屈曲形成している（図１参照）。この当接片１６を被穴開け面に当接させると、カバー本体１０の開口部と被穴開け面との隙間を極力少なくすることができる。図示例の当接片１６は、開口部の内側に向けて屈曲しているが、当接片１６を開口部の外側に向けて屈曲形成することも可能である（図示せず）。
【００３２】
この他の参考例として、カバー本体１０の開口部１３に沿った複数の切取り線４を形成する（図６参照）。この切取り線４からシート材１を切断することで、固定基体１０のサイズを穴開け工具Ｑのサイズに合わせることができるものである。
【００３３】
また、図示例のカバー本体１０は、いずれも有底角筒状に形成しているが、カバー本体１０の形状は任意に変更することができる。例えば、図７（イ）に示すごとく、略扇状のシート材１からは、同図（ロ）に示すごとく、円錐形を成した有底筒状のカバー本体１０が形成される。更に、図８に示すように、カバー本体１０を多角形の有底角筒状に形成することも可能である。
【産業上の利用可能性】
【００３４】
本発明カバーは、天井面に穴を開ける際に使用する工具として説明しているが、穴開け工具Ｑで穴を開ける位置は天井面に限定されものではない。また、本発明カバーの形状や材質なども任意に変更することが可能であり、本発明の要旨を変更しない範囲での設計変更は自由である。
【符号の説明】
【００３５】
Ｐ  電動工具
Ｑ  穴開け工具
１  シート材
２  折り目
３  止着部
４  切取り線
５  切込み部
６  底部材
１０  カバー本体
１１  底部
１２  連結孔
１３  開口部
１４  側部
１５  重合片
１６  当接片
【図１】
0005476399.tif 000002
【図２】
0005476399.tif 000003
【図３】
0005476399.tif 000004
【図４】
0005476399.tif 000005
【図５】
0005476399.tif 000006
【図６】
0005476399.tif 000007
【図７】
0005476399.tif 000008
【図８】
0005476399.tif 000009